【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】  指定解像度を超える読み取り解像度で読み取られた画像データの処理を行う画像処理装置であって、
上記読み取り解像度で読み取られた画像データに対して間引き方式の解像度変換処理を行う間引き解像度変換手段と、
上記間引き方式の解像度変換処理により間引かれずに残る画素のデータに対してのみフィルタ処理を行うフィルタ手段と、
上記フィルタ処理及び上記間引き方式の解像度変換処理がなされた画像データに対して上記指定解像度となるよう所定方式の解像度変換処理を行う解像度変換手段とを備えたことを特徴とする画像処理装置。
【請求項２】  上記指定解像度を指定するための解像度指定手段と、
上記読み取り解像度を上記指定解像度を超える値に設定する読み取り解像度設定手段とを備えたことを特徴とする請求項１に記載の画像処理装置。
【請求項３】  上記読み取り解像度設定手段は、上記読み取り解像度が上記指定解像度の２倍以上となるよう設定することを特徴とする請求項２に記載の画像処理装置。
【請求項４】  上記間引き解像度変換手段は、間引き後の解像度が上記読み取り解像度の整数分の１となるよう上記間引き方式の解像度変換処理を行うことを特徴とする請求項１〜３のいずれか１項に記載の画像処理装置。
【請求項５】  上記フィルタ処理手段は、上記間引かれずに残る画素のデータに対して上記フィルタ処理を行うとき、上記間引き方式の解像度変換処理の後で主走査方向及び副走査方向に隣り合う画素のデータを用いてフィルタ処理を行うことを特徴とする請求項１〜４のいずれか１項に記載の画像処理装置。
【請求項６】  上記指定解像度が予め設定されている所定解像度を超えるかどうかを判断する判断手段を備え、上記指定解像度が上記所定解像度を超える場合に、上記間引き方式の解像度変換処理、上記フィルタ処理、上記所定の解像度変換処理を行うことを特徴とする請求項１〜５のいずれか１項に記載の画像処理装置。
【請求項７】  上記指定解像度が上記所定解像度以下の場合、上記間引き解像度変換手段は上記間引き方式の解像度変換処理を行わず、上記フィルタ手段は上記読み取り解像度で読み取られた画像データの全ての画素のデータに対してフィルタ処理を行い、上記解像度変換手段は上記フィルタ処理がなされた画像データに対して上記指定解像度となるよう所定方式の解像度変換処理を行うことを特徴とする請求項６に記載の画像処理装置。
【請求項８】  上記フィルタ処理手段は、上記全ての画素のデータに対して上記フィルタ処理を行うとき、主走査方向及び副走査方向に隣り合う画素のデータを含ませてフィルタ処理を行うことを特徴とする請求項７に記載の画像処理装置。
【請求項９】  上記所定解像度は１５０dpiに設定されていることを特徴とする請求項６〜８のいずれか１項に記載の画像処理装置。
【請求項１０】  上記所定方式の解像度変換処理は、バイリニア方式の解像度変換処理であることを特徴とする請求項１〜９のいずれか１項に記載の画像処理装置。
【請求項１１】  指定解像度を超える読み取り解像度で読み取られた画像データの処理を行う画像処理方法であって、
上記読み取り解像度で読み取られた画像データに対して間引き方式の解像度変換処理を行う手順と、
上記間引き方式の解像度変換処理により間引かれずに残る画素のデータに対してのみフィルタ処理を行う手順と、
上記フィルタ処理及び上記間引き方式の解像度変換処理がなされた画像データに対して上記指定解像度となるよう所定方式の解像度変換処理を行う手順とを有することを特徴とする画像処理方法。
【請求項１２】  指定解像度を超える読み取り解像度で読み取られた画像データの処理を行うためのプログラムを格納したコンピュータ読み取り可能な記憶媒体であって、
上記読み取り解像度で読み取られた画像データに対して間引き方式の解像度変換処理を行う間引き解像度変換手段と、
上記間引き方式の解像度変換処理により間引かれずに残る画素のデータに対してのみフィルタ処理を行うフィルタ手段と、
上記フィルタ処理及び上記間引き方式の解像度変換処理がなされた画像データに対して上記指定解像度となるよう所定方式の解像度変換処理を行う解像度変換手段としてコンピュータを機能させるためのプログラムを格納したことを特徴とするコンピュータ読み取り可能な記憶媒体。
【請求項１３】  指定解像度を超える読み取り解像度で読み取られた画像データの処理を行うためのプログラムを格納したコンピュータ読み取り可能な記憶媒体であって、
上記読み取り解像度で読み取られた画像データに対して間引き方式の解像度変換処理を行う手順と、
上記間引き方式の解像度変換処理により間引かれずに残る画素のデータに対してのみフィルタ処理を行う手順と、
上記フィルタ処理及び上記間引き方式の解像度変換処理がなされた画像データに対して上記指定解像度となるよう所定方式の解像度変換処理を行う手順とをコンピュータに実行させるためのプログラムを格納したことを特徴とするコンピュータ読み取り可能な記憶媒体。
【請求項１４】  解像度を指定する手順と、
前記指定された解像度よりも高い読み取り解像度により画像データを得る手順と、
前記読み取り解像度で読み取られた画像データに対して間引き方式の解像度変換処理を行う手順と、
前記間引き方式の解像度変換処理により間引かれずに残る画素のデータに対してフィルタ処理を行う手順と、
前記フィルタ処理後、前記間引き方式の解像度変換処理がなされた画像データに対して前記指定された解像度となるようバイリニア方式の解像度変換処理を行う手順とを有することを特徴とする画像処理方法。
【手続補正２】
【補正対象書類名】明細書
【補正対象項目名】００１１
【補正方法】変更
【補正の内容】
【００１１】
又、本発明の画像処理装置の他の特徴とするところは、上記フィルタ処理手段は、上記間引かれずに残る画素のデータに対して上記フィルタ処理を行うとき、上記間引き方式の解像度変換処理の後で主走査方向及び副走査方向に隣り合う画素のデータを用いてフィルタ処理を行う点にある。
【手続補正３】
【補正対象書類名】明細書
【補正対象項目名】００１８
【補正方法】変更
【補正の内容】
【００１８】
本発明のコンピュータ読み取り可能な記憶媒体は、指定解像度を超える読み取り解像度で読み取られた画像データの処理を行うためのプログラムを格納したコンピュータ読み取り可能な記憶媒体であって、上記読み取り解像度で読み取られた画像データに対して間引き方式の解像度変換処理を行う間引き解像度変換手段と、上記間引き方式の解像度変換処理により間引かれずに残る画素のデータに対してのみフィルタ処理を行うフィルタ手段と、上記フィルタ処理及び上記間引き方式の解像度変換処理がなされた画像データに対して上記指定解像度となるよう所定方式の解像度変換処理を行う解像度変換手段としてコンピュータを機能させるためのプログラムを格納したことを特徴とする。
本発明の別のコンピュータ読み取り可能な記憶媒体は、指定解像度を超える読み取り解像度で読み取られた画像データの処理を行うためのプログラムを格納したコンピュータ読み取り可能な記憶媒体であって、上記読み取り解像度で読み取られた画像データに対して間引き方式の解像度変換処理を行う手順と、上記間引き方式の解像度変換処理により間引かれずに残る画素のデータに対してのみフィルタ処理を行う手順と、上記フィルタ処理及び上記間引き方式の解像度変換処理がなされた画像データに対して上記指定解像度となるよう所定方式の解像度変換処理を行う手順とをコンピュータに実行させるためのプログラムを格納したことを特徴とする。
【手続補正４】
【補正対象書類名】明細書
【補正対象項目名】００１９
【補正方法】変更
【補正の内容】
【００１９】
本発明の別の画像処理方法は、解像度を指定する手順と、前記指定された解像度よりも高い読み取り解像度により画像データを得る手順と、前記読み取り解像度で読み取られた画像データに対して間引き方式の解像度変換処理を行う手順と、前記間引き方式の解像度変換処理により間引かれずに残る画素のデータに対してフィルタ処理を行う手順と、前記フィルタ処理後、前記間引き方式の解像度変換処理がなされた画像データに対して前記指定された解像度となるようバイリニア方式の解像度変換処理を行う手順とを有する点に特徴を有する。